(57)【要約】【課題】タッチ機能を制御する方法及びその方法を実行する電子装置を提供する。【解決手段】本発明の電子装置のタッチ機能制御方法は、表示されたコンテンツ領域に対する少なくとも１つの第１のタッチを感知し、感知されたタッチによって形成される第１の四角形の面積を決定するステップと、感知されたタッチが移動した第２のタッチによって形成される第２の四角形の面積を決定するステップと、第１の四角形及び第２の四角形の面積を比較して、コンテンツ領域に対するタッチの機能を決定してコンテンツ領域を表示するステップと、を有する。【選択図】図１５
2014044711.tif 000002
【特許請求の範囲】
【請求項１】
電子装置の動作方法において、
表示されたコンテンツ領域に対する少なくとも１つの第１のタッチを感知し、感知された該タッチによって形成される第１の四角形の面積を決定するステップと、
感知された前記タッチが移動した第２のタッチによって形成される第２の四角形の面積を決定するステップと、
前記第１の四角形及び前記第２の四角形の面積を比較して、前記コンテンツ領域に対する前記タッチの機能を決定して前記コンテンツ領域を表示するステップと、を有することを特徴とするタッチ機能制御方法。
【請求項２】
前記コンテンツ領域を表示するステップは、
前記コンテンツ領域のスクロール、又は前記コンテンツ領域の拡大若しくは縮小を示すことを特徴とする請求項１に記載のタッチ機能制御方法。
【請求項３】
前記第２の四角形の面積が前記第１の四角形の面積に比べてしきい値の範囲より大きい場合は、前記コンテンツ領域の拡大を示すことを特徴とする請求項２に記載のタッチ機能制御方法。
【請求項４】
前記第２の四角形の面積が前記第１の四角形の面積に比べてしきい値の範囲より小さい場合は、前記コンテンツ領域の縮小を示すことを特徴とする請求項２に記載のタッチ機能制御方法。
【請求項５】
前記第２の四角形の面積が前記第１の四角形の面積と比べてしきい値の範囲内の値を有する場合は、前記コンテンツ領域のスクロールを示すことを特徴とする請求項２に記載のタッチ機能制御方法。
【請求項６】
前記第１の四角形の面積を決定するステップの前に、
前記コンテンツ領域のスクロール、又は前記コンテンツ領域の拡大若しくは縮小のためのイベントを含むことを特徴とする請求項１に記載のタッチ機能制御方法。
【請求項７】
電子装置であって、
タッチスクリーンと、
１つ以上のプロセッサと、
メモリと、
前記メモリに格納されて、前記１つ以上のプロセッサによって駆動されるプログラムと、を備え、
前記プログラムは、
前記タッチスクリーンに表示されたコンテンツ領域に対する少なくとも１つの第１のタッチを感知し、感知された該タッチによって形成される第１の四角形の面積を決定するステップと、
感知された前記タッチが移動した第２のタッチによって形成される第２四角形の面積を決定するステップと、
前記第１の四角形及び前記第２の四角形の面積を比較して、前記コンテンツ領域に対する前記タッチの機能を決定して前記コンテンツ領域を前記タッチスクリーンに表示するステップと、を実行させることを特徴とする電子装置。
【請求項８】
前記コンテンツ領域を表示するステップは、
前記コンテンツ領域のスクロール、又は前記コンテンツ領域の拡大若しくは縮小を示すことを特徴とする請求項７に記載の電子装置。
【請求項９】
前記第２の四角形の面積が前記第１の四角形の面積に比べてしきい値の範囲より大きい場合は、前記コンテンツ領域の拡大を示すことを特徴とする請求項８に記載の電子装置。
【請求項１０】
前記第２の四角形の面積が前記第１の四角形の面積に比べてしきい値の範囲より小さい場合は、前記コンテンツ領域の縮小を示すことを特徴とする請求項８に記載の電子装置。
【請求項１１】
前記第２の四角形の面積が前記第１の四角形の面積と比べてしきい値の範囲内の値を有する場合は、前記コンテンツ領域のスクロールを示すことを特徴とする請求項８に記載の電子装置。
【請求項１２】
前記第１の四角形の面積を決定するステップの前に、
前記コンテンツ領域のスクロール、又は前記コンテンツ領域の拡大若しくは縮小のためのイベントを含むことを特徴とする請求項８に記載の電子装置。
【請求項１３】
電子装置であって、
タッチスクリーンと、
前記タッチスクリーンに表示されたコンテンツ領域に対する少なくとも１つの第１のタッチを感知し、感知された該タッチによって形成される第１の四角形の面積を決定し、感知された前記タッチが移動した第２のタッチによって形成される第２の四角形の面積を決定し、前記第１の四角形及び前記第２の四角形の面積を比較して、前記コンテンツ領域に対する前記タッチの機能を決定して前記コンテンツ領域を前記タッチスクリーンに表示するように制御するプロセッサと、を備えることを特徴とする電子装置。
【請求項１４】
前記コンテンツ領域の表示は、前記コンテンツ領域のスクロール、又は前記コンテンツ領域の拡大若しくは縮小を示すことを特徴とする請求項１３に記載の電子装置。
【請求項１５】
前記第２の四角形の面積が前記第１の四角形の面積に比べてしきい値の範囲より大きい場合は、前記コンテンツ領域の拡大を示すことを特徴とする請求項１４に記載の電子装置。
【請求項１６】
前記第２の四角形の面積が前記第１の四角形の面積に比べてしきい値の範囲より小さい場合は、前記コンテンツ領域の縮小を示すことを特徴とする請求項１４に記載の電子装置。
【請求項１７】
前記第２の四角形の面積が前記第１の四角形の面積と比べてしきい値の範囲内の値を有する場合は、前記コンテンツ領域のスクロールを示すことを特徴とする請求項１４に記載の電子装置。
【発明の詳細な説明】
【技術分野】
【０００１】
本発明は、電子装置のタッチスクリーンのコンテンツ領域に対するタッチ及び／又はタッチの移動（ドラッグ）に応じてタッチ機能を制御する方法及びその方法を実行する電子装置に関する。
【背景技術】
【０００２】
タッチ入力方式の電子装置が開発されることによって、ユーザは電子装置の任意の領域をタッチして電子装置のタッチスクリーンに表示されたコンテンツのスクロール又は拡大／縮小を手軽に調節できるようになった。例えば、電子装置のタッチスクリーンに表示されたコンテンツの任意の領域をタッチ入力してコンテンツをスクロールすることができ、或いはユーザの望む大きさだけコンテンツを拡大又は縮小することもできる。
【０００３】
しかし、従来の電子装置ではユーザがタッチ領域に入力したタッチがシングルタッチ入力であるか又はマルチタッチ入力であるかを先に判断し、それぞれのタッチ入力方式に応じて、タッチ入力動作がタッチスクリーンに表示されたコンテンツをスクロールする動作であるか、或いはタッチスクリーンに表示されたコンテンツを拡大又は縮小する動作であるかを判断する。即ち、電子装置では、それぞれの場合の数に応じて異なるアルゴリズムが適用されるため、１つの動作を認識するためには非常に複雑なアルゴリズムが必要となる。
【０００４】
従って、ユーザが入力したタッチに応じて、電子装置のタッチスクリーンに表示されたコンテンツのスクロール又はコンテンツ領域の拡大／縮小を容易に調節できる方法が求められる。
【先行技術文献】
【特許文献】
【０００５】
【特許文献１】韓国特許出願公開第１０−２０１０−００１８８８３号明細書
【発明の概要】
【発明が解決しようとする課題】
【０００６】
本発明は、上記従来の問題点に鑑みてなされたものであって、本発明の目的は、タッチ領域の変化によってタッチスクリーンに表示されたコンテンツ領域の拡大／縮小のためのイベントであるか否かを確認できるタッチ機能制御方法及びその電子装置を提供することにある。
また、本発明の目的は、タッチの移動（ｄｒａｇ、ｍｏｖｅｍｅｎｔ）によるタッチ領域の面積（大きさ、ｓｉｚｅ）の変化によってタッチスクリーンに表示されたコンテンツのスクロール又はコンテンツ領域の拡大／縮小を調節できるタッチ機能制御方法及びその電子装置を提供することにある。
また、本発明の目的は、タッチの移動によるタッチ領域に含まれるピクセルの個数の変化によってタッチスクリーンに表示されたコンテンツ領域のスクロール又は領域の拡大／縮小を調節できるタッチ機能制御方法及びその電子装置を提供することにある。
【課題を解決するための手段】
【０００７】
上記目的を達成するためになされた本発明の一態様による電子装置のタッチ機能制御方法は、表示されたコンテンツ領域に対する少なくとも１つの第１のタッチを感知し、感知された該タッチによって形成される第１の四角形の面積を決定するステップと、感知された前記タッチが移動した第２のタッチによって形成される第２の四角形の面積を決定するステップと、前記第１の四角形及び前記第２の四角形の面積を比較して、前記コンテンツ領域に対する前記タッチの機能を決定して前記コンテンツ領域を表示するステップと、を有する。
【０００８】
前記コンテンツ領域を表示するステップは、前記コンテンツ領域のスクロール、又は前記コンテンツ領域の拡大若しくは縮小を示し得る。
前記第２の四角形の面積が前記第１の四角形の面積に比べてしきい値の範囲より大きい場合は、前記コンテンツ領域の拡大を示し得る。
前記第２の四角形の面積が前記第１の四角形の面積に比べてしきい値の範囲より小さい場合は、前記コンテンツ領域の縮小を示し得る。
前記第２の四角形の面積が前記第１の四角形の面積と比べてしきい値の範囲内の値を有する場合は、前記コンテンツ領域のスクロールを示し得る。
前記タッチ機能制御方法は、前記第１の四角形の面積を決定するステップの前に、前記コンテンツ領域のスクロール、又は拡大若しくは縮小のためのイベントを含むことができる。
【０００９】
上記目的を達成するためになされた本発明の一態様による電子装置は、タッチスクリーンと、１つ以上のプロセッサと、メモリと、前記メモリに格納されて、前記１つ以上のプロセッサによって駆動されるプログラムと、を備え、前記プログラムは、前記タッチスクリーンに表示されたコンテンツ領域に対する少なくとも１つの第１のタッチを感知し、感知された該タッチによって形成される第１の四角形の面積を決定するステップと、感知された前記タッチが移動した第２のタッチによって形成される第２の四角形の面積を決定するステップと、前記第１の四角形及び前記第２の四角形の面積を比較して、前記コンテンツ領域に対する前記タッチの機能を決定して前記コンテンツ領域を前記タッチスクリーンに表示するステップと、を実行させる。
【００１０】
上記目的を達成するためになされた本発明の他の態様による電子装置は、タッチスクリーンと、前記タッチスクリーンに表示されたコンテンツ領域に対する少なくとも１つの第１のタッチを感知し、感知された該タッチによって形成される第１の四角形の面積を決定し、感知された前記タッチが移動した第２のタッチによって形成される第２の四角形の面積を決定し、前記第１の四角形及び前記第２の四角形の面積を比較して、前記コンテンツ領域に対する前記タッチの機能を決定して前記コンテンツ領域を前記タッチスクリーンに表示するように制御するプロセッサと、を備える。
【発明の効果】
【００１１】
本発明の電子装置のタッチ機能制御方法によれば、表示されたコンテンツ領域に対して感知された第１のタッチによって形成される第１の領域と、タッチが移動した第２のタッチによって形成される第２の領域との、タッチ領域の面積の変化又はピクセルの個数の変化を比較することで、タッチスクリーンに表示されたコンテンツのスクロール又はコンテンツ領域の拡大／縮小を調節することができる。
【図面の簡単な説明】
【００１２】
【図１Ａ】表示されたコンテンツ領域をスクロールダウンする本発明の一実施形態を模式的に示す図である。
【図１Ｂ】表示されたコンテンツ領域をスクロールアップする本発明の一実施形態を模式的に示す図である。
【図１Ｃ】表示されたコンテンツ領域を拡大する本発明の一実施形態を模式的に示す図である。
【図１Ｄ】表示されたコンテンツ領域を縮小する本発明の一実施形態を模式的に示す図である。
【図２】２つのタッチが移動する場合に、表示されたコンテンツを拡大する本発明の他の実施形態を示す図である。
【図３】複数のタッチ移動に応じて、表示されたコンテンツをスクロールダウンする本発明の一実施形態を示す図である。
【図４Ａ】本発明の一実施形態によるタッチ領域の変化によって、タッチスクリーンに表示されたコンテンツ領域のスクロール又は拡大／縮小のためのイベントであるかを確認する方法を説明する図である。
【図４Ｂ】本発明の一実施形態による２つのタッチによって四角形領域を決定する方法を説明する図である。
【図５】第１タッチ入力を受けた場合に、設定された領域を生成する本発明の一実施形態を示す図である。
【図６】２つのタッチ入力を受けた場合に、設定された領域を生成する本発明の一実施形態を示す図である。
【図７】検出された第１ピクセルの交点及び第２ピクセルの交点のＸ座標が同一と判断された場合にオフセットを適用する本発明の一実施形態を示す図である。
【図８】検出された第１ピクセルの交点及び第２ピクセルの交点のＹ座標が同一と判断された場合にオフセットを適用する本発明の一実施形態を示す図である。
【図９】１つのタッチ入力を受けて、表示されたコンテンツをスクロールする本発明の一実施形態を示す図である。
【図１０】２つのタッチ入力を受けて、表示されたコンテンツをスクロールする本発明の一実施形態を示す図である。
【図１１】マルチタッチ入力を受けて、表示されたコンテンツをスクロールする本発明の一実施形態を示す図である。
【図１２】２つのタッチ入力を受けて、表示されたコンテンツを縮小する本発明の一実施形態を示す図である。
【図１３】本発明の一実施形態によるタッチ領域を調節する電子装置の動作手順を示すフローチャートである。
【図１４】本発明の一実施形態による電子装置の構成を示したブロック図である。
【図１５】（ａ）は、本発明の一実施形態によるタッチ領域を調節する電子装置の動作手順を示すフローチャートであり、（ｂ）は、本発明の一実施形態によるタッチ領域を調節する電子装置の各手段を示す図である。
【発明を実施するための形態】
【００１３】
以下、本発明を実施するための形態の具体例を、図面を参照しながら詳細に説明する。本発明を説明するに当たって、関連する公知機能又は構成に対する具体的な説明が本発明の要旨を不要に不明確にするおそれがあると判断した場合、その詳細な説明を省略する。そして、後述する用語は、本発明における機能を考慮して定義した用語であって、これはユーザ、運用者の意図又は慣例などによって異なることがある。従って、その定義は本明細書全般に亘る内容に基づいて行われるべきである。
【００１４】
図１Ａは、表示されたコンテンツ領域をスクロールダウンする本発明の一実施形態を模式的に示す図である。電子装置は、例えば、２０（５×４）に区別されたそれぞれのタッチを感知する。電子装置がタッチスクリーンに表示されたコンテンツ領域のうちの少なくとも１つのタッチ入力を感知する。感知されたそれぞれのタッチ入力のＸ及びＹ座標値を比較してＸ値の最大値と最小値を決定しＹ座標値の最小値と最大値を決定することで、これらの座標値からなる第２四角形（ボックス）領域１０１を設定する。タッチ入力が１つの場合はＸ、Ｙ座標値が１つであるため、その場合はＸ、Ｙ座標値の周りの最小単位の四角形に決定する。
【００１５】
次いで、少なくとも１つのタッチが移動（ドラッグ）することによって発生するタッチ点のＸ及びＹ座標の最大値と最小値によって形成される第３四角形（ボックス）１０２の面積（大きさ）を決定する。本実施形態で変数とするものはタッチ点のＸ及びＹ座標の最大値と最小値によって形成される第３四角形（ボックス）１０２の面積である。決定された第３四角形の面積を第２四角形の面積と比較する。第３四角形の面積と第２四角形の面積の差が所定幅のしきい値（ｔｈｒｅｓｈｏｌｄ）の範囲内の場合、タッチの移動はコンテンツ領域をスクロールすることであると決定する。この場合、コンテンツ領域はスクロールされて表示される。この時、スクロールはスクロールダウン（ｄｏｗｎ）に該当する。
【００１６】
ここで、しきい値とは電子装置の機能設定に応じて予め決められた値であって、ユーザの設定に応じて変更できる。
【００１７】
第２四角形を形成するタッチは複数のタッチである場合があり、このような複数のタッチの中には電子装置のスクリーンに表示されたコンテンツ領域のうちの最初にタッチされる第１タッチを含む。このような関係は、上述したように、タッチスクリーンに表示されたコンテンツ領域のスクロール又は拡大／縮小のためのイベントであると見なすことができる。
【００１８】
電子装置のタッチスクリーンに表示されたコンテンツ領域は電子装置のタッチスクリーンに表示されたオブジェクト（ｏｂｊｅｃｔ）を示し得る。オブジェクトはグラフィックオブジェクト（ｇｒａｐｈｉｃａｌ  ｏｂｊｅｃｔ）であり得る。
【００１９】
図１Ｂは、表示されたコンテンツ領域をスクロールアップする本発明の一実施形態を模式的に示す図である。電子装置がタッチスクリーンに表示されたコンテンツ領域のうちの少なくとも１つのタッチ入力を感知し、感知されたそれぞれのタッチ入力のＸ及びＹ座標値を比較してＸ値の最大値と最小値を決定しＹ座標値の最小値と最大値を決定することで、これらの座標値からなる第２四角形（ボックス）領域１０３を設定する。タッチ入力が１つの場合はＸ、Ｙ座標値が１つであるため、その場合はＸ、Ｙ座標値の周りの最小単位の四角形に決定する。
【００２０】
次いで、少なくとも１つのタッチが移動（ドラッグ）することによって発生するタッチ点のＸ及びＹ座標の最大値と最小値によって形成される第３四角形（ボックス）１０４の面積を決定する。決定された第３四角形の面積を第２四角形の面積と比較する。第３四角形の面積と第２四角形の面積の差が所定幅のしきい値の範囲内の場合、タッチの移動はコンテンツ領域をスクロールすることであると決定する。この場合、コンテンツ領域はスクロールされて表示される。この時、スクロールはスクロールアップ（ｕｐ）に該当する。
【００２１】
ここで、しきい値とは電子装置の機能設定に応じて予め決められた値であって、ユーザの設定に応じて変更できる。
【００２２】
第２四角形を形成するタッチは複数のタッチである場合があり、このような複数のタッチの中には電子装置のスクリーンに表示されたコンテンツの領域のうちの最初にタッチされる第１タッチを含む。このような関係は、上述したように、タッチスクリーンに表示されたコンテンツ領域のスクロール又は拡大／縮小のためのイベントであると見なすことができる。
【００２３】
電子装置のタッチスクリーンに表示されたコンテンツ領域は電子装置のタッチスクリーンに表示されたオブジェクトを示し得る。オブジェクトはグラフィックオブジェクトであり得る。
【００２４】
図１Ｃは、表示されたコンテンツ領域を拡大する本発明の一実施形態を模式的に示す図である。電子装置がタッチスクリーンに表示されたコンテンツ領域のうちの少なくとも１つのタッチ入力を感知し、感知されたそれぞれのタッチ入力のＸ及びＹ座標値を比較してＸ値の最大値と最小値を決定しＹ座標値の最小値と最大値を決定することで、これらの座標値からなる第２四角形（ボックス）領域１０５を設定する。次いで、少なくとも１つのタッチが移動（ドラッグ）することによって発生するタッチ点のＸ及びＹ座標の最大値と最小値によって形成される第３四角形（ボックス）１０６の面積を決定する。第３四角形の面積が第２四角形の面積に比べて所定幅のしきい値の範囲より大きい場合、タッチの移動はコンテンツ領域を拡大（ｍａｇｎｉｆｙｉｎｇ、ｚｏｏｍｉｎｇ  ｉｎ）することであると決定する。この場合、コンテンツ領域は拡大されて表示される。
【００２５】
コンテンツ領域の拡大比率は第３四角形の面積と第２四角形の面積の差に比例し得る。この時、比例は１次元の比例である場合もあり、或いは多次元の比例関係である場合もある。即ち、コンテンツ領域の拡大値は第３四角形の面積と第２四角形の面積の差を変数とする１次元方程式又は多次元方程式関係であり得る。
【００２６】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【００２７】
ここで、しきい値とは電子装置の機能設定に応じて予め決められた値であって、ユーザの設定に応じて変更できる。
【００２８】
第２四角形を形成するタッチは複数のタッチである場合があり、このような複数のタッチの中には電子装置のスクリーンに表示されたコンテンツの領域のうちの最初にタッチされる第１タッチを含む。このような関係は、上述したように、タッチスクリーンに表示されたコンテンツ領域をスクロールするイベント又はコンテンツ領域の拡大／縮小のためのイベントであると見なすことができる。
【００２９】
電子装置のタッチスクリーンに表示されたコンテンツ領域の拡大は電子装置のタッチスクリーンに表示されたオブジェクトのパラメータ（ｐａｒａｍｅｔｅｒ）を大きく調節する（ａｄｊｕｓｔ）ことであり得る。
【００３０】
図１Ｄは、表示されたコンテンツ領域を縮小する本発明の一実施形態を模式的に示す図である。電子装置がタッチスクリーンに表示されたコンテンツ領域のうちの少なくとも１つのタッチ入力を感知し、感知されたそれぞれのタッチ入力のＸ及びＹ座標値を比較してＸ値の最大値と最小値を決定しＹ座標値の最小値と最大値を決定することで、これらの座標値からなる第２四角形（ボックス）領域１０７を設定する。次いで、少なくとも１つのタッチが移動（ドラッグ）することによって発生するタッチ点のＸ及びＹ座標の最大値と最小値によって形成される第３四角形（ボックス）１０８の面積を決定する。第３四角形の面積が第２四角形の面積に比べて所定幅のしきい値の範囲より小さい場合、タッチの移動はコンテンツ領域を縮小（ｚｏｏｍｉｎｇ  ｏｕｔ）することであると決定する。この場合、コンテンツ領域は縮小されて表示される。
【００３１】
コンテンツ領域の縮小比率は第３四角形の面積と第２四角形の面積の差に比例し得る。この時、比例は１次元の比例である場合もあり、或いは多次元の比例関係である場合もある。即ち、コンテンツ領域の縮小値は第３四角形の面積と第２四角形の面積の差を変数とする１次元方程式又は多次元方程式関係であり得る。
【００３２】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【００３３】
ここで、しきい値とは電子装置の機能設定に応じて予め決められた値であって、ユーザの設定に応じて変更できる。
【００３４】
第２四角形を形成するタッチは複数のタッチである場合があり、このような複数のタッチの中には電子装置のスクリーンに表示されたコンテンツの領域のうちの最初にタッチされる第１タッチを含む。このような関係は、上述したように、タッチスクリーンに表示されたコンテンツ領域のスクロール又は拡大／縮小のためのイベントであると見なすことができる。
【００３５】
電子装置のタッチスクリーンに表示されたコンテンツ領域の縮小は電子装置のタッチスクリーンに表示されたオブジェクトのパラメータを小さく調節することであり得る。
【００３６】
また、図１Ｃで、タッチスクリーンに表示されたコンテンツ領域を拡大する条件を異なるように設定することができる。即ち、四角形の面積が基準値を超えることを、表示されたコンテンツ領域を拡大する条件として与えることができる。例えば、四角形の面積の基準値を４ｃｍ２に設定した場合は、第２四角形の面積がこの基準値を超える時点から、表示されたコンテンツ領域の拡大が行われるようにすることができる（図４Ａで後述する第１四角形の面積は基準値と同じか又はそれより小さいことを前提とする）。コンテンツ領域の拡大比率は基準値を超える比率に連動させることができる。もし、第１四角形の面積が基準値以上の場合は、第２四角形の面積が第１四角形の面積より大きくなる時点から、表示されたコンテンツ領域の拡大が行われるようにすることができる。拡大比率は基準値を超える比率に連動させることができる。
【００３７】
また、図１Ｄで、表示されたコンテンツ領域を縮小する条件として、四角形の面積が基準値未満になることを与えることができる（図４Ａで後述する第１四角形の面積は基準値と同じか又はそれより大きいことを前提とする）。
【００３８】
また、上述したように、表示されたコンテンツ領域を拡大する２つの条件を共に使用することができる。即ち、四角形の面積が基準値を超えることと、第３四角形の面積が第２四角形の面積に比べて予め定められた所定幅の第２しきい値（オフセットと表現する場合もある）の範囲より大きくなることとを、タッチスクリーンに表示されたコンテンツ領域を拡大する条件とすることができる。また、タッチスクリーンに表示されたコンテンツ領域を縮小する条件として、四角形の面積が基準値未満になることと、第３四角形の面積が第２四角形の面積に比べて予め定められた所定幅の第２しきい値（オフセットと表現する場合もある）の範囲より小さくなることとを設定することができる。
【００３９】
図２は、２つのタッチが移動する場合に、表示されたコンテンツを拡大する本発明の一実施形態を模式的に示す図である。電子装置がタッチスクリーンに表示されたコンテンツ領域のうちの２つのタッチ入力２０１、２０２を感知し、感知されたそれぞれのタッチ入力のＸ及びＹ座標値を比較してＸ値の最大値と最小値を決定し（ここではＸ値の最大値と最小値に所定のオフセットを設けた場合を表示する）Ｙ座標値の最小値と最大値を決定することで（ここではＹ値の最大値と最小値に所定のオフセットを設けた場合を表示する）、これらの座標値からなる第２四角形（ボックス）領域２０３を設定する。次いで、２つのタッチが移動（ドラッグ）することによって発生するタッチ点のＸ及びＹ座標の最大値と最小値（所定のオフセットを適用する）によって形成される第３四角形（ボックス）２０７の面積を決定する。図２に示したように、第３四角形の面積が第２四角形の面積より大きい。即ち、移動したタッチのＸ及びＹ座標の最大値と最小値（所定のオフセットを適用する）の差が移動前より大きい場合である。このような四角形の面積の差が予め定められたしきい値の範囲を超える場合は、タッチの移動は上述のコンテンツ領域を拡大することであると決定し、この場合、コンテンツ領域はタッチスクリーンに拡大されて表示される。
【００４０】
コンテンツ領域の拡大又は縮小比率は第３四角形の面積と第２四角形の面積の差に比例し得る。この時、比例は１次元の比例である場合もあり、或いは多次元の比例関係である場合もある。即ち、コンテンツ領域の拡大値又は縮小値は第３四角形の面積と第２四角形の面積の差を変数とする１次元方程式又は多次元方程式関係であり得る。
【００４１】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【００４２】
ここで、しきい値とは電子装置の機能設定に応じて予め決められた値であって、ユーザの設定に応じて変更できる。
【００４３】
第２四角形を形成するタッチは複数のタッチである場合があり、このような複数のタッチの中には電子装置のスクリーンに表示されたコンテンツ領域のうちの最初にタッチされる第１タッチを含む。このような関係は、上述したように、タッチスクリーンに表示されたコンテンツ領域のスクロール又は拡大／縮小のためのイベントであると見なすことができる。
【００４４】
電子装置のタッチスクリーンに表示されたコンテンツ領域の拡大は電子装置のタッチスクリーンに表示されたオブジェクトのパラメータを大きく調節することであり得る。
【００４５】
図３は、複数のタッチ移動に応じて、表示されたコンテンツをスクロールダウンする本発明の一実施形態を模式的に示す図である。電子装置がタッチスクリーンに表示されたコンテンツ領域のうちの２つのタッチ入力３０１、３０２を感知する。感知されたそれぞれのタッチ入力のＸ及びＹ座標値を比較してＸ値の最大値と最小値を決定しＹ座標値の最小値と最大値を決定することで、これらの座標値からなる第２四角形（ボックス）領域３０３を設定する。次いで、２つのタッチが移動（ドラッグ）すると共にタッチが更に１つ増加して３つのタッチ点のＸ及びＹ座標の最大値と最小値によって形成される第３四角形（ボックス）３０４の面積を決定する。第３四角形の面積と第２四角形の面積の差がしきい値の範囲内の場合、タッチの移動はコンテンツ領域をスクロールすることであると決定する。この場合、コンテンツ領域はスクロールされて表示される。この時、スクロールはスクロールダウンに該当する。
【００４６】
ここで、しきい値とは電子装置の機能設定に応じて予め決められた値であって、ユーザの設定に応じて変更できる。
【００４７】
第２四角形を形成するタッチは複数のタッチである場合があり、このような複数のタッチの中には電子装置のスクリーンに表示されたコンテンツ領域のうちの最初にタッチされる第１タッチを含む。このような関係は、上述したように、タッチスクリーンに表示されたコンテンツ領域のスクロール又は拡大／縮小のためのイベントであると見なすことができる。
【００４８】
電子装置のタッチスクリーンに表示されたコンテンツ領域は電子装置のタッチスクリーンに表示されたオブジェクトを示し得る。オブジェクトはグラフィックオブジェクトであり得る。
【００４９】
図４Ａは、本発明の一実施形態によるタッチ領域の変化によって、タッチスクリーンに表示されたコンテンツ領域のスクロール又は拡大／縮小のためのイベントであるかを確認する方法を説明する図である。
【００５０】
電子装置のスクリーンに表示されたコンテンツ領域の中に第１タッチが行われると、第１タッチの地点に第１四角形領域４０３が発生する。このような四角形領域を形成する方法は後述の図４Ｂ及び図５で詳細に説明する。第１タッチの地点が座標の地点に正確に一致する場合は第１四角形の面積はゼロ（ｚｅｒｏ）である場合がある。
【００５１】
また、このような第１四角形は、タッチスクリーン上に現れるようにするか又は現れないようにすることができる。このような第１タッチの後、所定時間以内（ここでは、電子装置のユーザが、タッチが完全に不連続であると感じない時間差、例えば１５０ｍｓ又はそれ以下の所定時間を意味し、このような時間は予め定めることができる）の第２タッチが行われると、第１タッチの地点と第２タッチの地点のそれぞれの座標のｘ、ｙ値を基準に最小値と最大値を決定し、４つの頂点を有する第２四角形４０４を形成できる。このような第２四角形も、タッチスクリーン上に現れるようにするか又は現れないようにすることができる。
【００５２】
また、第２タッチの後も所定時間内に行われる多数個のタッチを更に含み得る。多数個のタッチが所定時間内に追加的に行われた場合は、多数個のタッチの地点のそれぞれの座標のｘ、ｙ値を基準に最小値と最大値を決定し、４つの頂点を有する第２四角形を形成できる。この場合は、全ての多数個のタッチを第２タッチと称する。
【００５３】
次に、第１四角形の面積（大きさ、ｓｉｚｅ）と第２四角形の面積を比較して、第２四角形の面積が予め定められた所定幅の第１しきい値の範囲内か、それより大きいか又は小さいかに応じて、このような第１及び第２タッチはタッチスクリーンに表示されたコンテンツ領域のスクロール又は拡大／縮小のためのイベントであると見なす。
【００５４】
以下の説明で、第１タッチと第２タッチを含めて第２タッチと称する場合もある。例えば、図１０、図１１、図１２、図１３、図１４、図１５、図１Ａ〜図１Ｄ、図２、及び図３などの説明で、第２タッチは以上で説明した第１タッチと第２タッチを含み得る。
【００５５】
その後、このような第２タッチが移動して（ｄｒａｇ、ｍｏｖｅ）第３のタッチをなす場合、第３のタッチ地点のそれぞれの座標のｘ、ｙ値を基準に最小値と最大値によって決定した４つの頂点を有する第３四角形の面積を第２四角形の面積と比較する。また、このような第３四角形は、タッチスクリーン上に現れるようにするか又は現れないようにすることができる。第３四角形の面積が第２四角形の面積に比べて予め定められた第２しきい値（オフセットと表現する場合もある）の範囲より大きい場合、このような第２及び第３タッチは、面積の変化率に応じてタッチスクリーンに表示されたコンテンツ領域を拡大する。第３四角形の面積が第２四角形の面積に比べて予め定められたしきい値の範囲より大きい例は図１Ｃに示した通りである。また、第３四角形の面積が第２四角形の面積に比べて予め定められたしきい値の範囲より小さい場合、このような第２及び第３タッチの面積の変化率に応じてタッチスクリーンに表示されたコンテンツ領域を縮小する。第３四角形の面積が第２四角形の面積に比べて予め定められたしきい値の範囲より小さい例は図１Ｄに示した通りである。
【００５６】
ここで、しきい値はタッチスクリーンの面積を考慮して定めることができる。
【００５７】
コンテンツ領域の拡大又は縮小比率は第３四角形の面積と第２四角形の面積の差に比例し得る。この時、比例は１次元の比例である場合もあり、或いは多次元の比例関係である場合もある。即ち、コンテンツ領域の拡大値又は縮小値は第３四角形の面積と第２四角形の面積の差を変数とする１次元方程式又は多次元方程式関係であり得る。
【００５８】
また、タッチスクリーンに表示されたコンテンツ領域を拡大する条件を異なるように設定することができる。即ち、四角形の面積が基準値を超えることを、表示されたコンテンツ領域を拡大する条件として与えることができる。例えば、四角形の面積の基準値を４ｃｍ２に設定した場合は、第２四角形の面積がこの基準値を超える時点から、表示されたコンテンツ領域の拡大が行われるようにすることができる（図４Ａの第１四角形の面積は基準値と同じか又はそれより小さいことを前提とする）。コンテンツ領域の拡大比率は基準値を超える比率に連動させることができる。もし、第１四角形の面積が基準値以上の場合は、第２四角形の面積が第１四角形の面積より大きくなる時点から、表示されたコンテンツ領域の拡大が行われるようにすることができる。拡大の比率は基準値を超える比率に連動させることができる。また、表示されたコンテンツ領域を縮小する条件として、四角形の面積が基準値未満になること（図４Ａの第１四角形の面積は基準値と同じか又はそれより大きいことを前提とする）を与えることができる。
【００５９】
また、上述したように、表示されたコンテンツ領域を拡大する２つの条件を共に使用することができる。即ち、四角形の面積が基準値を超えることと、第３四角形の面積が第２四角形の面積に比べて予め定められた第２しきい値（オフセットと表現する場合もある）の範囲より大きくなることとを、タッチスクリーンに表示されたコンテンツ領域を拡大する条件とすることができる。また、タッチスクリーンに表示されたコンテンツ領域を縮小する条件として、四角形の面積が基準値未満になることと、第３四角形の面積が第２四角形の面積に比べて予め定められた第２しきい値（オフセットと表現する場合もある）の範囲より小さくなることとを設定することができる。
【００６０】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【００６１】
図４Ｂは、本発明の一実施形態による２つのタッチによって四角形領域を決定する方法を説明する図である。本実施形態による電子装置はユーザから表示されたコンテンツの領域で２つのタッチ入力を受信する。
【００６２】
四角形領域４０１はタッチスクリーンに表示されたコンテンツ領域のうちの２つのタッチ入力の地点の座標値を超えない座標のｘ、ｙ値を基準に最小値と最大値を決定して形成される。或いは、四角形領域４０２をタッチスクリーンに表示されたコンテンツ領域のうちの２つのタッチ入力の地点の座標値を超えた最も近い座標のｘ、ｙ値を基準に最小値と最大値を決定して形成される。
【００６３】
四角形領域４０１、４０２はタッチスクリーンに表示されたコンテンツ領域のうちの２つのタッチ入力によって感知された２つのタッチ領域に含まれるピクセル（ｐｉｘｅｌ）の数を基準に生成された領域であると定義できる。
【００６４】
四角形領域４０１を決定した場合、２つのタッチが移動して（４０５）、他の四角形４０６を形成すると、四角形４０１と他の四角形４０６の面積を比較して面積が大きくなった場合にタッチスクリーンに表示されたコンテンツ領域を拡大する。
【００６５】
図５は、第１タッチ入力を受けた場合に、設定された領域を生成する本発明の一実施形態を示す図である。先ず、本実施形態による電子装置は、ユーザにより表示されたコンテンツ領域のうちの少なくとも１つの領域がタッチ入力される。より具体的に、電子装置は、タッチスクリーンに表示されたコンテンツ領域のうち、１つのタッチが入力されるか又は２つのタッチが入力される。以下、本発明の実施形態では、タッチスクリーンに表示されたコンテンツ領域のうちの１つのタッチが入力された場合を仮定して、設定された領域を生成する方法を詳細に説明する。
【００６６】
本発明における設定された領域とは、タッチスクリーンに表示されたコンテンツ領域のうちの１つのタッチ入力によって感知された領域に含まれるピクセルを基準に生成された領域と定義され得る。先ず、電子装置は、タッチスクリーンに表示されたコンテンツ領域のうちの１つの領域がタッチ入力を受信したことを感知し、タッチ領域に最も近接するピクセル交点（Ｘ軸とＹ軸の交点）を検出する。例えば、電子装置でいずれか１つのピクセルに対するタッチ入力を受信すると、電子装置はタッチ領域の中央から最も近いピクセル交点を検出する。その後、電子装置は、検出されたピクセル交点を基準に少なくとも１つのピクセルが含まれるように設定された領域を生成する。例えば、図２に示したように、電子装置でピクセル交点５０１を検出すると、電子装置は、検出されたピクセル交点５０１を基準に１つのピクセルが含まれるように設定された領域５０２を生成する。即ち、電子装置は、検出されたピクセル交点５０１を中心とする４つのピクセルのうちの４分の１の面積分のピクセルを、設定された領域５０２として生成する。他の例として、電子装置は、検出されたピクセル交点５０１を基準に４つのピクセルが含まれるように設定された領域５０３を生成することもできる。即ち、電子装置は、検出されたピクセル交点５０１を中心とする周りの４つのピクセルを、設定された領域５０３として生成することもできる。更に他の例として、電子装置は、検出されたピクセルの交点５０１を基準に１６のピクセルが含まれるように、設定された領域５０４を生成することもできる。即ち、電子装置は、検出されたピクセルの交点５０１を中心とする周りの１６のピクセルが含まれるように、設定された領域５０４を生成することもできる。結論的に、電子装置で１つのタッチ入力を受けた場合、電子装置は、検出されたピクセル交点を基準に少なくとも１つのピクセルが含まれるように、設定された領域を生成する。但し、ここで、１つのタッチの地点が座標のピクセル交点に正確に一致する場合は、四角形の面積はゼロ（ｚｅｒｏ）である場合がある。
【００６７】
図６は、２つのタッチ入力を受けた場合に、設定された領域を生成する本発明の一実施形態を示す図である。先ず、本実施形態による電子装置は、表示されたコンテンツ領域のうちの少なくとも１つの領域がタッチ入力される。より具体的に、電子装置は、タッチスクリーンに表示されたコンテンツ領域のうち、１つの領域がシングルタッチ入力されるか又は２つの領域がデュアルタッチ入力される。以下、本発明の実施形態では、タッチスクリーンに表示されたコンテンツ領域のうちの２つの領域がデュアル（２つの）タッチ入力された場合を仮定して、設定された領域を生成する方法を詳細に説明する。
【００６８】
本発明における設定された領域とは、タッチスクリーンに表示されたコンテンツ領域のうちの２つのタッチ入力によって感知されたデュアルタッチ領域に含まれるピクセルを基準に生成された領域であると定義できる。先ず、電子装置は、タッチスクリーンに表示されたコンテンツ領域のうちの２つの領域がタッチ入力されたことを感知し、それぞれのタッチ領域に最も近接する第１ピクセル交点６０１及び第２ピクセル交点６０２を検出する。より具体的に、電子装置でタッチスクリーンに表示されたコンテンツの２つの領域がタッチ入力された場合、電子装置は、それぞれのタッチ入力された領域に最も近接するピクセルの交点である第１ピクセルの交点６０１及び第２ピクセルの交点６０２を検出する。その後、電子装置は、検出された第１ピクセルの交点６０１と第２ピクセルの交点６０２を対角線で連結して少なくとも１つのピクセルが含まれるように設定された領域を生成する。例えば、電子装置は、検出された第１ピクセルの交点６０１と第２ピクセルの交点６０２を対角線とする総８つのピクセル（横ピクセル４つ、縦ピクセル２つ）で構成された設定された領域６０３を生成する。他の例として、電子装置は、検出された第１ピクセル交点６０１と第２ピクセル交点６０２を対角線とする総２４のピクセル（横ピクセル６つ、縦ピクセル４つ）で構成された設定領域６０４を生成することができる。更に他の例として、電子装置は、検出された第１ピクセル交点６０１と第２ピクセル交点６０２を対角線とする総４８のピクセル（横ピクセル８つ、縦ピクセル６つ）で構成された設定領域６０５を生成することもできる。結論的に、電子装置は、検出された第１ピクセル交点６０１と第２ピクセル交点６０２を対角線で連結して少なくとも１つのピクセルが含まれるように、設定された領域を生成する。
【００６９】
図７は、検出された第１ピクセル交点及び第２ピクセル交点のＸ座標が同一と判断された場合にオフセットを適用する本発明の一実施形態を示す図である。先ず、電子装置は、タッチスクリーンに表示されたコンテンツ領域のうちの２つの領域がタッチ入力されたことを感知し、それぞれのタッチ領域に最も近接する第１ピクセル交点７０１及び第２ピクセル交点７０２を検出する。より具体的に、電子装置でタッチスクリーンに表示されたコンテンツの２つの領域がタッチ入力された場合、電子装置は、それぞれのタッチ入力された領域に最も近接するピクセルの交点である第１ピクセル交点７０１及び第２ピクセル交点７０２を検出する。その後、電子装置は、検出された第１ピクセル交点７０１と第２ピクセル交点７０２を対角線で連結して少なくとも１つのピクセルが含まれるように、設定された領域である四角形を生成する。
【００７０】
しかし、図７（ａ）に示したように、電子装置で検出された第１ピクセル交点７０１と第２ピクセル交点７０２のＸ座標が同一と判断された場合、電子装置は、設定領域を生成することができない。より具体的に、電子装置では、最初に検出された第１ピクセル交点７０１と第２ピクセル交点７０２を連結して設定された領域を生成するアルゴリズムを実行するが、第１ピクセル交点７０１と第２ピクセル交点７０２が同一である場合、本アルゴリズムを実行できない問題が生じ得る。従って、本実施形態による電子装置で検出された第１ピクセル交点７０１と第２ピクセル交点７０２が同一と判断された場合、電子装置はそれぞれのＸ座標にオフセット（ｏｆｆｓｅｔ）を適用する。より具体的に、電子装置は、第１ピクセルのＸ座標から設定されたα値を減算し、第２ピクセルのＸ座標に設定されたα値を加算する。例えば、電子装置で検出された第１ピクセルのＸ座標がＸ１で、検出された第２ピクセルのＸ座標もＸ１であると仮定する。この仮定のように、電子装置で検出された第１ピクセルのＸ座標と第２ピクセルのＸ座標がＸ１として同じである場合、電子装置は、第１ピクセルのＸ座標であるＸ１から設定されたα値を減算し、第２ピクセルのＸ座標であるＸ１に設定されたα値を加算する。従って、電子装置は、第１ピクセル交点のＸ座標としてＸ１−α値を得、第２ピクセル交点のＸ座標としてＸ１＋α値を得る。結論的に、図７（ｂ）に示したように、電子装置は、検出されたＸ座標にオフセットを適用して新しく得た第１ピクセル交点（Ｘ１−α，Ｙ１）７０３と第２ピクセル交点（Ｘ１＋α，Ｙ２）７０４を連結して、設定された領域７０５を生成する。
【００７１】
他の方法として、図７（ａ）に示したように、電子装置で検出された第１タッチの地点（第１ピクセル交点）７０１と第２タッチの地点（第２ピクセル交点）７０２のＸ座標が同じ場合は、第１タッチの地点のＹ軸値（Ｙ１）と第２タッチの地点のＹ軸値（Ｙ２）の差（Ｙ１−Ｙ２）の自乗で面積を置き換えることができる。即ち、（Ｙ１−Ｙ２）２を設定領域の面積と見なすことができる。
【００７２】
図８は、検出された第１ピクセル交点及び第２ピクセル交点のＹ座標が同一と判断された場合にオフセットを適用する本発明の一実施形態を示す図である。先ず、電子装置は、タッチスクリーンに表示されたコンテンツ領域のうちの２つの領域にタッチが入力されたことを感知し、それぞれのタッチ領域に最も近接する第１ピクセル交点８０１及び第２ピクセル交点８０２を検出する。より具体的に、電子装置でタッチスクリーンに表示されたコンテンツの２つの領域にタッチが入力された場合、電子装置は、それぞれのタッチ入力領域に最も近接するピクセルの交点である第１ピクセル交点８０１及び第２ピクセル交点８０２を検出する。その後、電子装置は、検出された第１ピクセル交点８０１と第２ピクセル交点８０２を対角線で連結して少なくとも１つのピクセルが含まれるように、設定された領域である四角形を生成する。
【００７３】
しかし、図８（ａ）に示したように、電子装置で検出された第１ピクセル交点８０１と第２ピクセル交点８０２のＹ座標が同一と判断された場合、電子装置は、設定された領域を生成できない。より具体的に、電子装置では、最初に検出された第１ピクセル交点８０１と第２ピクセル交点８０２を連結して設定された領域を生成するアルゴリズムを実行するが、第１ピクセル交点８０１と第２ピクセル交点８０２が同一である場合、本アルゴリズムを実行できない問題が生じ得る。従って、本実施形態による電子装置では、検出された第１ピクセル交点８０１と第２ピクセル交点８０２が同一と判断された場合、電子装置はそれぞれのＹ座標にオフセットを適用する。より具体的に、電子装置は、第１ピクセルのＹ座標から設定されたα値を減算し、第２ピクセルのＹ座標に設定されたα値を加算する。例えば、電子装置で検出された第１ピクセルのＹ座標がＹ１で、検出された第２ピクセルのＹ座標もＹ１であると仮定する。この仮定のように、電子装置で検出された第１ピクセルのＹ座標と第２ピクセルのＹ座標がＹ１として同じである場合、電子装置は、第１ピクセルのＹ座標であるＹ１から設定されたα値を減算し、第２ピクセルのＹ座標であるＹ１に設定されたα値を加算する。従って、電子装置は、第１ピクセル交点のＹ座標としてＹ１−α値を得、第２ピクセル交点のＹ座標としてＹ１＋α値を得る。結論的に、図８（ｂ）に示したように、電子装置は、検出されたＹ座標にオフセットを適用して新しく得た第１ピクセル交点（Ｘ１，Ｙ１−α）８０３と第２ピクセル交点（Ｘ２，Ｙ１＋α）８０４を連結して、設定された領域８０５を生成する。
【００７４】
他の方法として、図８（ａ）に示したように、電子装置で検出された第１タッチの地点（第１ピクセル交点）８０１と第２タッチの地点（第２ピクセル交点）８０２のＹ座標が同じ場合は、第１タッチの地点のＸ軸値（Ｘ１）と第２タッチの地点のＸ軸値（Ｘ２）の差（Ｘ１−Ｘ２）の自乗で面積を置き換えることができる。即ち、（Ｘ１−Ｘ２）２を設定領域の面積と見なすことができる。
【００７５】
図９は、１つのタッチ入力を受けて、表示されたコンテンツをスクロールする本発明の一実施形態を示す図である。図９に示したように、本実施形態による電子装置は、１つのタッチ入力を受けてタッチスクリーンに表示されたコンテンツ領域をスクロールする。１つのタッチ入力を受けた場合も、追加的な条件が与えられると、タッチスクリーンに表示されたコンテンツ領域のスクロール又は拡大／縮小が可能である。
【００７６】
但し、以下ではタッチスクリーンに表示されたコンテンツ領域をスクロールする場合を説明する。先ず、電子装置は、タッチ領域が移動することによって生成された領域９０２内に含まれるピクセルの数の増減した変化量を測定した後、測定されたピクセルの数の増減した変化量を判断する。その後、電子装置で判断されたピクセルの数の増減した変化量が、設定された第１変化量以上且つ設定された第２変化量未満と判断された場合、電子装置は、コンテンツをタッチ領域が移動した領域にスクロールする。例えば、最初に生成された領域９０１内に含まれるピクセルの数が４つで、設定された第１変化量が０、設定された第２変化量が１０のピクセル数であると仮定する。この仮定では、電子装置の最初のタッチ入力によって生成された４つのピクセルの数から移動したタッチ入力によるピクセルの変化量が０と測定された場合、電子装置は、タッチスクリーンに表示されたコンテンツをタッチ領域が移動した領域にスクロールする。より具体的に、電子装置は、最初のタッチ入力によって生成されたピクセルの数から移動したタッチ入力によって新しく生成された領域９０２内のピクセルの数の増減した変化量が、設定された第１変化量以上且つ設定された第２変化量未満と判断された場合、電子装置は、タッチスクリーンに表示されたコンテンツをタッチ領域が移動した領域にスクロールする。
【００７７】
また、電子装置は、タッチ領域が移動することによって生成された領域９０２内の面積の増減した変化量を測定した後、測定された面積の増減した変化量を判断できる。その後、電子装置で判断された面積の増減した変化量が、設定された第１変化量以上且つ設定された第２変化量未満と判断された場合、電子装置は、コンテンツをタッチ領域が移動した領域にスクロールする。例えば、生成された領域内の面積が８４ｍｍ２で、設定された第１変化量が０ｍｍ２、設定された第２変化量が２０ｍｍ２と仮定する。この仮定では、電子装置の最初のタッチ入力によって生成された領域の面積である８４ｍｍ２から移動したタッチ入力によるピクセルの変化量が０ｍｍ２と測定された場合、電子装置は、タッチスクリーンに表示されたコンテンツをタッチ領域が移動した領域にスクロールする。より具体的に、電子装置は、最初のタッチ入力によって生成された領域の面積９０１から移動したタッチ入力によって新しく生成された領域９０２内の面積の増減した変化量が、設定された第１変化量以上且つ設定された第２変化量未満と判断された場合、電子装置は、タッチスクリーンに表示されたコンテンツをタッチ領域が移動した領域にスクロールする。
【００７８】
図１０は、２つのタッチ入力を受けて、表示されたコンテンツをスクロールする本発明の一実施形態を示す図である。図１０に示したように、本実施形態による電子装置は、２つのタッチ入力を受けてタッチスクリーンに表示されたコンテンツをスクロールする。先ず、電子装置は、タッチスクリーンに表示されたコンテンツ領域のうちの２つの領域がタッチ入力されたことを感知し、それぞれのタッチ領域に最も近接する第１ピクセル交点１００１及び第２ピクセル交点１００２を検出する。より具体的に、電子装置でタッチスクリーンに表示されたコンテンツの２つの領域がタッチ入力された場合、電子装置は、それぞれのタッチ入力された領域に最も近接するピクセル交点である第１ピクセル交点１００１及び第２ピクセル交点１００２を検出する。その後、電子装置は、検出された第１ピクセル交点１００１と第２ピクセル交点１００２を対角線で連結して少なくとも１つのピクセルが含まれるように設定された領域１００３を生成する。例えば、電子装置は、検出された第１ピクセル交点１００１と第２ピクセル交点１００２を対角線とする四角形を生成し、本発明における設定された領域１００３を生成する。
【００７９】
電子装置は、タッチ領域が移動することによって生成された領域１００４内に含まれるピクセルの数の増減した変化量を測定した後、測定されたピクセルの数の増減した変化量を判断する。その後、電子装置で判断されたピクセルの数の増減した変化量が、設定された第１変化量以上且つ設定された第２変化量未満と判断された場合、電子装置は、コンテンツをタッチ領域が移動した領域にスクロールする。例えば、生成された領域１００３内に含まれるピクセルの数が２０で、設定された第１変化量が０、設定された第２変化量が２０のピクセルの数であると仮定する。この仮定では、電子装置の最初のタッチ入力によって生成された２０のピクセルの数から移動したタッチ入力によるピクセルの変化量が０と測定された場合、電子装置は、タッチスクリーンに表示されたコンテンツをタッチ領域が移動した領域にスクロールする。より具体的に、電子装置は、最初のタッチ入力によって生成されたピクセルの数から移動したタッチ入力によって新しく生成された領域１００４内のピクセルの数の増減した変化量が、設定された第１変化量以上且つ設定された第２変化量未満と判断された場合、電子装置は、タッチスクリーンに表示されたコンテンツをタッチ領域が移動した領域にスクロールする。
【００８０】
また、電子装置は、タッチ領域が移動することによって生成された領域１００４内の面積の増減した変化量を測定した後、測定された面積の増減した変化量を判断できる。その後、電子装置で判断された面積の増減した変化量が、設定された第１変化量以上且つ設定された第２変化量未満と判断された場合、電子装置は、コンテンツをタッチ領域が移動した領域にスクロールする。例えば、生成された領域内の面積が８４ｍｍ２で、設定された第１変化量が０ｍｍ２、設定された第２変化量が２０ｍｍ２と仮定する。この仮定では、電子装置の最初のタッチ入力によって生成された領域の面積である８４ｍｍ２から移動したタッチ入力によるピクセルの増加された変化量が１５ｍｍ２と測定された場合、電子装置は、タッチスクリーンに表示されたコンテンツをタッチ領域が移動した領域にスクロールする。より具体的に、電子装置は、最初のタッチ入力によって生成された領域の面積１００３から移動したタッチ入力によって新しく生成された領域１００４内の面積の増減した変化量が、設定された第１変化量以上且つ設定された第２変化量未満と判断された場合、電子装置は、タッチスクリーンに表示されたコンテンツをタッチ領域が移動した領域にスクロールする。
【００８１】
図１１は、マルチタッチ入力を受けて、表示されたコンテンツをスクロールする本発明の一実施形態を示す図である。
【００８２】
電子装置がタッチスクリーンに表示されたコンテンツ領域のうちの３つのタッチ入力１１０１、１１０２、１１０３を感知する。感知されたそれぞれのタッチ入力のＸ及びＹ座標値を比較してＸ値の最大値と最小値を決定しＹ座標値の最小値と最大値を決定することで、これらの座標値からなる第２四角形（ボックス）領域１１０４を設定する。次いで、２つのタッチが移動（ドラッグ）すると共にタッチが１つ減少して２つのタッチ点のＸ及びＹ座標の最大値と最小値によって形成される第３四角形（ボックス）１１０５の面積を決定する。第３四角形の面積と第２四角形の面積の差がしきい値（オフセットと表現する場合もある）の範囲内の場合、タッチの移動はコンテンツ領域をスクロールすることであると決定する。この場合、コンテンツ領域はスクロールされて表示される。この時、スクロールはスクロールダウンに該当する。
【００８３】
ここで、しきい値とは電子装置の機能設定に応じて予め決められた値であって、ユーザの設定に応じて変更できる。
【００８４】
図４Ａで上述したように、第２タッチに含まれる第１タッチによって形成される第１四角形の面積（ｓｉｚｅ）と第２タッチの第２四角形の面積を比較して、第２四角形の面積が予め定められた第１しきい値の範囲内か、それより大きいか又は小さいかに応じて、このような第１及び第２タッチはタッチスクリーンに表示されたコンテンツ領域のスクロール又は拡大／縮小のためのイベントであると見なす過程が、電子装置がタッチスクリーンに表示されたコンテンツ領域のうちの３つのタッチ入力１１０１、１１０２、１１０３を感知する過程の前に追加的に行われ得る。
【００８５】
電子装置のタッチスクリーンに表示されたコンテンツ領域は電子装置のタッチスクリーンに表示されたオブジェクトを示し得る。オブジェクトはグラフィックオブジェクトであり得る。
【００８６】
図１２は、２つのタッチ入力を受けて、表示されたコンテンツを縮小する本発明の一実施形態を示す図である。
【００８７】
電子装置がタッチスクリーンに表示されたコンテンツ領域のうちの２つのタッチ入力１２０１、１２０２を感知し、感知されたそれぞれのタッチ入力のＸ及びＹ座標値を比較してＸ値の最大値と最小値を決定し（ここではＸ値の最大値と最小値に所定のオフセットを設けた場合を表示する）Ｙ座標値の最小値と最大値を決定することで（ここではＹ値の最大値と最小値に所定のオフセットを設けた場合を表示する）、これらの座標値からなる第２四角形（ボックス）領域１２０３を設定する。次いで、２つのタッチが移動（ドラッグ）することによって発生するタッチ点のＸ及びＹ座標の最大値と最小値（所定のオフセットを適用する）によって形成される第３四角形（ボックス）１２０７の面積を決定する。図１２に示したように、第３四角形１２０７の面積が第２四角形１２０３の面積より小さい。即ち、移動したタッチのＸ及びＹ座標の最大値と最小値（所定のオフセットを適用する）の差が移動前より小さい場合である。このような四角形の面積の差が予め定められたしきい値の範囲より小さい場合、タッチの移動はコンテンツ領域を縮小することであると決定し、この場合、コンテンツ領域はタッチスクリーンに縮小されて表示される。
【００８８】
コンテンツ領域の縮小比率は第３四角形の面積と第２四角形の面積の差に比例し得る。この時、比例は１次元の比例である場合もあり、或いは多次元の比例関係である場合もある。即ち、コンテンツ領域の縮小値は第３四角形の面積と第２四角形の面積の差を変数とする１次元方程式又は多次元方程式関係であり得る。
【００８９】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【００９０】
図４Ａで上述したように、タッチスクリーンに表示されたコンテンツ領域のスクロール又は拡大／縮小のためのイベントであると見なす過程が、電子装置がタッチスクリーンに表示されたコンテンツ領域のうちの２つのタッチ入力１２０１、１２０２を感知する過程の前に追加的に行われ得る。
【００９１】
ここで、しきい値とは電子装置の機能設定に応じて予め決められた値であって、ユーザの設定に応じて変更できる。
【００９２】
電子装置のタッチスクリーンに表示されたコンテンツ領域の縮小は電子装置のタッチスクリーンに表示されたオブジェクトのパラメータを小さく調節することであり得る。
【００９３】
図１３は、本発明の一実施形態によるタッチ領域を調節する電子装置の動作手順を示すフローチャートである。先ず、電子装置は、表示されたコンテンツ領域に対する少なくとも１つのタッチ（第２タッチ）を感知し（ステップＳ１３０１）、感知されたタッチによって形成される第２四角形の面積を決定する（ステップＳ１３０２）。次に、感知されたタッチが移動した第３タッチによって形成される第３四角形の面積を決定する（ステップＳ１３０３）。次に、四角形の面積を比較し（ステップＳ１３０４）、コンテンツ領域に対するタッチの機能を決定する。タッチの機能とは電子装置のタッチスクリーンに表示されたコンテンツ領域の拡大又は縮小を意味し得る。或いは、コンテンツ領域のスクロールを意味し得る。即ち、第３四角形のこのような方法を実行して決定された機能に応じてコンテンツ領域を表示する（ステップＳ１３０５）。
【００９４】
第２四角形及び第３四角形は、第２及び第３タッチ地点のそれぞれの座標のｘ、ｙ値を基準に最小値と最大値によって決定した４つの頂点からなる。第３四角形の面積を第２四角形の面積と比較して第３四角形の面積が第２四角形の面積に比べて予め定められたしきい値の範囲より大きい場合、このような第２及び第３タッチは、面積の変化率に応じてタッチスクリーンに表示されたコンテンツ領域を拡大する。第３四角形の面積が第２四角形の面積に比べて予め定められたしきい値の範囲より大きい例は図１Ｃに示した通りである。また、第３四角形の面積が第２四角形の面積に比べて予め定められたしきい値の範囲より小さい場合、このような第２及び第３タッチの面積の変化率に応じてタッチスクリーンに表示されたコンテンツ領域を縮小する。第３四角形の面積が第２四角形の面積に比べて予め定められたしきい値の範囲より小さい例は図１Ｄに示した通りである。
【００９５】
コンテンツ領域の拡大又は縮小比率は第３四角形の面積と第２四角形の面積の差に比例し得る。この時、比例は１次元の比例である場合もあり、或いは多次元の比例関係である場合もある。即ち、コンテンツ領域の拡大値又は縮小値は第３四角形の面積と第２四角形の面積の差を変数とする１次元方程式又は多次元方程式関係であり得る。
【００９６】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【００９７】
ここで、しきい値とは電子装置の機能設定に応じて予め決められた値であって、ユーザの設定に応じて変更できる。
【００９８】
第２タッチは複数のタッチである場合があり、このような複数のタッチの中には電子装置のスクリーンに表示されたコンテンツ領域のうちの最初にタッチされる第１タッチを含む。このような関係は、図４Ａで説明した通りである。
【００９９】
即ち、第２タッチに含まれる第１タッチによって形成される第１四角形の面積（ｓｉｚｅ）と第２タッチの第２四角形の面積を比較し、第２四角形の面積が予め定められた第１しきい値の範囲内か、それより大きいか又は小さいかに応じて、このような第１及び第２タッチはタッチスクリーンに表示されたコンテンツ領域のスクロール又は拡大／縮小のためのイベントであると見なすステップが、電子装置のタッチスクリーンに表示されたコンテンツ領域に対する少なくとも１つのタッチ（第２タッチ）を感知するステップＳ１３０１の前に追加的に行われ得る。
【０１００】
電子装置のタッチスクリーンに表示されたコンテンツ領域は電子装置のタッチスクリーンに表示されたオブジェクトを示し得る。オブジェクトはグラフィックオブジェクトであり得る。
【０１０１】
コンテンツ領域の拡大又は縮小は、電子装置のタッチスクリーンに表示されたオブジェクトのパラメータを調節することである。
【０１０２】
コンテンツ領域のスクロールは、電子装置のタッチスクリーンに表示されたオブジェクトをスクロールすることを示し得る。
【０１０３】
電子装置のタッチスクリーンに表示されたオブジェクトのパラメータを調節することは、電子装置のタッチスクリーンに表示されたコンテンツの面積を大きくするか（ｚｏｏｍｉｎｇ−ｉｎ）又は小さくする（ｚｏｏｍｉｎｇ−ｏｕｔ）ことを示し得、電子装置のタッチスクリーンに表示されたオブジェクトをスクロールすることは、電子装置のタッチスクリーンに表示されたコンテンツをスクロールアップするか又はスクロールダウンすることを示し得る。
【０１０４】
図１４は、本発明の一実施形態による電子装置の構成を示したブロック図である。このような電子装置１４００は、携帯用電子機器であり得、携帯端末、携帯電話、モバイルパッド、メディアプレーヤ、タブレットコンピュータ、ハンドヘルドコンピュータ、又はＰＤＡ（Ｐｅｒｓｏｎａｌ  Ｄｉｇｉｔａｌ  Ａｓｓｉｓｔａｎｔ）のような装置である。また、このような装置のうちの２種以上の機能を結合した装置を含む任意の携帯用電子装置であり得る。
【０１０５】
このような電子装置１４００は、メモリ１４１０、プロセッサユニット１４２０、第１無線通信サブシステム１４３０、第２無線通信サブシステム１４３１、外部ポート１４６０、オーディオサブシステム１４５０、スピーカ１４５１、マイクロホン１４５２、入出力（Ｉ／Ｏ：Ｉｎｐｕｔ  Ｏｕｔｐｕｔ）システム１４７０、タッチスクリーン１４８０、及びその他の入力／制御装置１４９０を含む。メモリ１４１０と外部ポート１４６０は多数個が使用され得る。
【０１０６】
プロセッサユニット１４２０は、メモリインタフェース１４２１、１つ以上のプロセッサ１４２２、及び周辺装置インタフェース１４２３を含む。プロセッサユニット１４２０全体をプロセッサと称する場合もある。
【０１０７】
本実施形態におけるプロセッサユニット１４２０は、表示されたコンテンツ領域に対する少なくとも１つの第１タッチを感知し、感知されたタッチによって形成される第１四角形の面積を決定し、感知されたタッチが移動した第２タッチによって形成される第２四角形の面積を決定し、第１四角形と第２四角形の面積を比較して、コンテンツ領域に対するタッチの機能を決定してコンテンツ領域を表示するように制御する。
【０１０８】
プロセッサ１４２２は、様々なソフトウェアプログラムを実行して電子装置１４００のための様々な機能を行い、また音声通信及びデータ通信のための処理及び制御を行う。また、このような通常的な機能に加え、プロセッサ１４２２は、メモリ１４１０に格納されている特定のソフトウェアモジュール（命令セット）を実行してそのモジュールに対応する特定の様々な機能を遂行する役割も担う。即ち、プロセッサ１４２２は、メモリ１４１０に格納されたソフトウェアモジュールと連動して本明細書に記載の本発明の実施形態の方法を実行する。
【０１０９】
プロセッサ１４２２は、１つ以上のデータプロセッサ、イメージプロセッサ、又はコーデック（ＣＯＤＥＣ）を含むことができる。データプロセッサ、イメージプロセッサ、又はコーデックは別途構成することもできる。また、互いに異なる機能を行ういくつかのプロセッサで構成することもできる。周辺装置インタフェース１４２３は、電子装置１４００の入出力サブシステム１４７０及び様々な周辺装置を、プロセッサ１４２２及びメモリ１４１０（メモリインタフェースを介して）に連結させる。
【０１１０】
電子装置１４００の様々な構成要素は１つ以上の通信バス（符号記載せず）又はストリームライン（符号記載せず）によって結合（ｃｏｕｐｌｅｄ）される。
【０１１１】
外部ポート１４６０は、携帯用電子装置（図示せず）を他の電子装置に直接連結させるか、又はネットワーク（例えば、インターネット、イントラネット、無線ＬＡＮ等）を介して他の電子装置に間接的に連結するために使用される。外部ポート１４６０は、例えば、これらに限定しないが、ＵＳＢ（Ｕｎｉｖｅｒｓａｌ  ｓｅｒｉａｌ  Ｂｕｓ）ポート又はＦＩＲＥＷＩＲＥポートなどをいう。
【０１１２】
モーションセンサ１４９１及び光センサ１４９２は、周辺装置インタフェース１４２３に結合されて様々な機能を可能にする。例えば、モーションセンサ１４９１及び光センサ１４９２が周辺装置インタフェース１４２３に結合されて、それぞれ電子装置のモーションの感知及び外部からの光感知を可能にする。それ以外にも、位置測定システム、温度センサ、又は生体センサなどのようなその他のセンサが周辺装置インタフェース１４２３に連結されて関連機能を行うことができる。
【０１１３】
カメラサブシステム１４９３は、写真及びビデオクリップレコーディングのようなカメラ機能を行う。
【０１１４】
光センサ１４９２には、ＣＣＤ（ｃｈａｒｇｅｄ  ｃｏｕｐｌｅｄ  ｄｅｖｉｃｅ）又はＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）デバイスを使用することができる。
【０１１５】
１つ以上の無線通信サブシステム１４３０、１４３１を介して通信機能が行われる。無線通信サブシステム１４３０、１４３１は、無線周波数（ｒａｄｉｏ  ｆｒｅｑｕｅｎｃｙ）受信機及び送受信機、及び／又は光（例えば、赤外線）受信機及び送受信機を含む。第１無線通信サブシステム１４３０と第２無線通信サブシステム１４３１は、電子装置１４００が通信する通信ネットワークによって区分される。例えば、通信ネットワークは、これらに限定しないが、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）ネットワーク、ＥＤＧＥ（Ｅｎｈａｎｃｅｄ  Ｄａｔａ  ＧＳＭ（登録商標）  Ｅｎｖｉｒｏｎｍｅｎｔ）ネットワーク、ＣＤＭＡ（Ｃｏｄｅ  Ｄｉｖｉｓｉｏｎ  Ｍｕｌｔｉｐｌｅ  Ａｃｃｅｓｓ）ネットワーク、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）ネットワーク、ＬＴＥ（Ｌｏｎｇ  Ｔｅｒｍ  Ｅｖｏｌｕｔｉｏｎ）ネットワーク、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ネットワーク、Ｗｉ−Ｆｉ（Ｗｉｒｅｌｅｓｓ  Ｆｉｄｅｌｉｔｙ）ネットワーク、ＷｉＭａｘネットワーク、及び／又はＢｌｕｅｔｏｏｔｈ(登録商標)ネットワークなどを介して作動するように設計される通信サブシステムを含む。第１無線通信サブシステム１４３０と第２無線通信サブシステム１４３１とを合わせて１つの無線通信サブシステムとして構成することもできる。
【０１１６】
オーディオサブシステム１４５０がスピーカ１４５１及びマイクロホン１４５２に結合されて、音声認識、音声復号、デジタルレコーディング（ｒｅｃｏｒｄｉｎｇ）、及び電話機能のようなオーディオストリームの入力と出力を担当する。即ち、オーディオサブシステム１４５０は、スピーカ１４５１及びマイクロホン１４５２を介してユーザと通信する（ｃｏｍｍｕｎｉｃａｔｅ）。オーディオサブシステム１４５０は、プロセッサユニット１４２０の周辺装置インタフェース１４２３を介してデータストリームを受信し、受信したデータストリームを電気ストリームに変換する。変換された電気ストリーム（ｅｌｅｃｔｒｉｃ  ｓｉｇｎａｌ）はスピーカ１４５１に伝達される。スピーカ１４５１は電気ストリームを人が聴ける音波（ｓｏｕｎｄ  ｗａｖｅ）に変換して出力する。マイクロホン１４５２は、人やその他の音源から伝達された音波を電気ストリームに変換する。オーディオサブシステム１４５０は、マイクロホン１４５２から変換された電気ストリームを受信する。オーディオサブシステム１４５０は、受信した電気ストリームをオーディオデータストリームに変換し、変換されたオーディオデータストリームを周辺インタフェース１４２３へ伝送する。オーディオサブシステム１４５０は、脱着可能なイヤホン、ヘッドホン、又はヘッドセットを含む。
【０１１７】
入出力（Ｉ／Ｏ：Ｉｎｐｕｔ／Ｏｕｔｐｕｔ）サブシステム１４７０は、タッチスクリーン制御器１４７１、及び／又はその他の入力制御器１４７２を含む。タッチスクリーン制御器１４７１は、タッチスクリーン１４８０に結合される。タッチスクリーン１４８０及びタッチスクリーン制御器１４７１は、以下に限定しないが、タッチスクリーン１４８０との１つ以上の接触点を決定するための容量性、抵抗性、赤外線、及び表面音響波技術だけでなくその他の近接センサ配列又はその他の要素を含む任意のマルチタッチ感知技術を用いてタッチ及びモーション又はこれらの中断を検出する。その他の入力制御器１４７２は、その他の入力／制御装置１４９０に結合される。その他の入力／制御装置１４９０には、１つ以上のボタン、ロッカー（ｒｏｃｋｅｒ）スイッチ、サムホイール（ｔｈｕｍｂ−ｗｈｅｅｌ）、ダイヤル（ｄｉａｌ）、スティック（ｓｔｉｃｋ）、及び／又はスタイラスのようなポインタ装置などが結合される。
【０１１８】
タッチスクリーン１４８０は、電子装置１４００とユーザの間に入力／出力インタフェースを提供する。即ち、タッチスクリーン１４８０は、ユーザのタッチ入力を電子装置１４００に伝達する。また、電子装置１４００からの出力をユーザに示す媒体である。即ち、タッチスクリーン１４８０は、ユーザに視覚的な出力を見せる。このような視覚的出力（ｖｉｓｕａｌ  ｏｕｔｐｕｔ）はテキスト、グラフィック、ビデオとこれらの組み合わせの形態で示される。
【０１１９】
タッチスクリーン１４８０は、様々なディスプレイが使用される。例えば、これに限定しないが、ＬＣＤ（ｌｉｑｕｉｄ  ｃｒｙｓｔａｌ  ｄｉｓｐｌａｙ）、ＬＥＤ（Ｌｉｇｈｔ  Ｅｍｉｔｔｉｎｇ  Ｄｉｏｄｅ）、ＬＰＤ（ｌｉｇｈｔ  ｅｍｉｔｔｉｎｇ  ｐｏｌｙｍｅｒ  ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）、又はＦＬＥＤ（Ｆｌｅｘｉｂｌｅ  ＬＥＤ）を使用することができる。
【０１２０】
メモリ１４１０は、メモリインタフェース１４２１に結合される。メモリ１４１０は、１つ以上の磁気ディスク格納装置のような高速ランダムアクセスメモリ及び／又は不揮発性メモリ、１つ以上の光格納装置及び／又はフラッシュメモリ（例えば、ＮＡＮＤ、ＮＯＲ）を含む。
【０１２１】
メモリ１４１０はソフトウェアを格納する。ソフトウェア構成要素は、オペレーションシステム（ｏｐｅｒａｔｉｎｇ  ｓｙｓｔｅｍ）モジュール１４１１、通信モジュール１４１２、グラフィックモジュール１４１３、ユーザインタフェースモジュール１４１４、及びＣＯＤＥＣモジュール１４１５、カメラモジュール１４１６、１つ以上のアプリケーションモジュール１４１７などを含む。また、ソフトウェア構成要素であるモジュールは、命令の集合で表現できるため、モジュールを命令セット（ｉｎｓｔｒｕｃｔｉｏｎ  ｓｅｔ）で表現する場合もある。また、モジュールはプログラムで表現する場合もある。オペレーションシステムモジュール１４１１（例えば、ＷＩＮＤＯＷＳ（登録商標）、ＬＩＮＵＸ（登録商標）、ダーウィン（Ｄａｒｗｉｎ）、ＲＴＸＣ、ＵＮＩＸ（登録商標）、ＯＳ  Ｘ、又はＶｘＷｏｒｋｓのような内蔵オペレーションシステム）は、一般的なシステム動作（ｓｙｓｔｅｍ  ｏｐｅｒａｔｉｏｎ）を制御する様々なソフトウェア構成要素を含む。このような一般的なシステム動作の制御は、例えば、メモリ管理及び制御、格納ハードウェア（装置）制御及び管理、電力制御及び管理などを意味する。このようなオペレーションシステムソフトウェアは、様々なハードウェア（装置）とソフトウェア構成要素（モジュール）の間の通信を円滑にする機能も行う。
【０１２２】
通信モジュール１４１２は、無線通信サブシステム１４３０、１４３１や外部ポート１４６０を介してコンピュータ、サーバ、及び／又は携帯端末などの他の電子装置と通信を可能にする。
【０１２３】
グラフィックモジュール１４１３は、タッチスクリーン１４８０上にグラフィックを提供して表示するための様々なソフトウェア構成要素を含む。グラフィックという用語は、テキスト、ウェブページ、アイコン、デジタルイメージ、ビデオ、アニメーションなどを含む意味として用いられる。
【０１２４】
ユーザインタフェースモジュール１４１４は、ユーザインタフェースに関連する様々なソフトウェア構成要素を含む。ユーザインタフェースの状態がどのように変更されるか又はユーザインタフェース状態の変更がどのような条件で行われるかなどに対する内容を含む。
【０１２５】
コーデック（ＣＯＤＥＣ）モジュール１４１５は、ビデオファイルのエンコード及びデコードに関連するソフトウェア構成要素を含む。コーデックモジュールは、ＭＰＥＧモジュール及び／又はＨ２０４モジュールのようなビデオストリームモジュールを含む。また、コーデックモジュールは、ＡＡＡ、ＡＭＲ、ＷＭＡなどの様々なオーディオファイル用コーデックモジュールを含む。また、コーデックモジュール１４１５は、本発明の実施方法に対応する命令セットを含む。
【０１２６】
カメラモジュール１４１６は、カメラ関連のプロセス及び機能を可能にするカメラ関連ソフトウェア構成要素を含む。
【０１２７】
アプリケーションモジュール１４１１０は、ブラウザ、電子メール、インスタントメッセージ、ワードプロセス、キーボードエミュレーション、アドレスブック、タッチリスト、ウィジェット、デジタル著作権管理（ＤＲＭ：Ｄｉｇｉｔａｌ  Ｒｉｇｈｔ  Ｍａｎａｇｅｍｅｎｔ）、音声認識、音声復号、位置決定機能、位置基盤サービスなどを含む。
【０１２８】
また、本発明による電子装置１４００の様々な機能は、１つ以上のストリームプロセッシング及び／又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  ｃｉｒｃｕｉｔ）を含むハードウェア及び／又はソフトウェア、及び／又はこれらの結合によって実行され得る。
【０１２９】
例えば、図１Ａ〜図１Ｄに示したように、本発明は、タッチスクリーン、１つ以上のプロセッサ、メモリ、及びメモリに格納されて、１つ以上のプロセッサによって駆動され、タッチスクリーンに表示されたコンテンツ領域に対する少なくとも１つの第２タッチを感知し、感知されたタッチによって形成される第２四角形の面積を決定し、感知されたタッチが移動した第３タッチによって形成される第３四角形の面積を決定し、第２四角形と第３四角形の面積を比較して、コンテンツ領域に対するタッチの機能を決定してコンテンツ領域をタッチスクリーンに表示するステップを実行させるプログラム又はこのような命令を含むプログラムを含む装置であり得る。ここで、コンテンツ領域の表示は、コンテンツ領域のスクロール、又はコンテンツ領域の拡大若しくは縮小を示す。
【０１３０】
コンテンツ領域の拡大又は縮小比率は第３四角形の面積と第２四角形の面積の差に比例し得る。この時、比例は１次元の比例である場合もあり、或いは多次元の比例関係である場合もある。即ち、コンテンツ領域の拡大値又は縮小値は第３四角形の面積と第２四角形の面積の差を変数とする１次元方程式又は多次元方程式関係であり得る。
【０１３１】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【０１３２】
また、タッチスクリーンに表示されたコンテンツ領域を拡大する条件を異なるように設定することができる。即ち、四角形の面積が基準値を超えることを、表示されたコンテンツ領域を拡大する条件として与えることができる。例えば、四角形の面積の基準値を４ｃｍ２に設定した場合は、第２四角形の面積がこの基準値を超える時点から、表示されたコンテンツ領域の拡大が行われるようにすることができる（図４Ａで説明した第１四角形の面積は基準値と同じか又はそれより小さいことを前提とする）。コンテンツ領域の拡大比率は基準値を超える比率に連動させることができる。もし、第１四角形の面積が基準値以上の場合は、第２四角形の面積が第１四角形の面積より大きくなる時点から、表示されたコンテンツ領域の拡大が行われるようにすることができる。拡大比率は基準値を超える比率に連動させることができる。また、表示されたコンテンツ領域を縮小する条件として、四角形の面積が基準値未満になることを与えることができる（図４Ａで説明した第１四角形の面積は基準値と同じか又はそれより大きいことを前提とする）。
【０１３３】
また、上述したように、表示されたコンテンツ領域を拡大する２つの条件を共に使用することができる。即ち、四角形の面積が基準値を超えることと、第３四角形の面積が第２四角形の面積に比べて予め定められた第２しきい値（オフセットと表現する場合もある）の範囲より大きくなることとを、タッチスクリーンに表示されたコンテンツ領域を拡大する条件とすることができる。また、タッチスクリーンに表示されたコンテンツ領域を縮小する条件として、四角形の面積が基準値未満になることと、第３四角形の面積が第２四角形の面積に比べて予め定められた第２しきい値（オフセットと表現する場合もある）の範囲より小さくなることとを設定することができる。
【０１３４】
図１５（ａ）は、本発明の一実施形態によるタッチ領域を調節する電子装置の動作手順を示すフローチャートである。先ず、電子装置は、表示されたコンテンツ領域に対する少なくとも１つの第２タッチを感知し、感知されたタッチによって形成される第２四角形の面積を決定する（ステップＳ１５０１）。次に、感知されたタッチが移動した第３タッチによって形成される第３四角形の面積を決定する（ステップＳ１５０２）。次に、第２四角形と第３四角形の面積を比較して、コンテンツ領域に対するタッチの機能を決定する。このような方法を行って決定された機能に応じてコンテンツ領域を表示する（ステップＳ１５０３）。
【０１３５】
第２四角形及び第３四角形は、第２及び第３タッチ地点のそれぞれの座標のｘ、ｙ値を基準に最小値と最大値によって決定した４つの頂点からなる。第３四角形の面積を第２四角形の面積と比較して第３四角形の面積が第２四角形の面積に比べて予め定められたしきい値の範囲より大きい場合、このような第２及び第３タッチは、面積の変化率に応じてタッチスクリーンに表示されたコンテンツ領域を拡大する。第３四角形の面積が第２四角形の面積に比べて予め定められたしきい値の範囲より大きい例は図１Ｃに示した通りである。また、第３四角形の面積が第２四角形の面積に比べて予め定められたしきい値の範囲より小さい場合、このような第２及び第３タッチの面積の変化率に応じてタッチスクリーンに表示されたコンテンツ領域を縮小する。第３四角形の面積が第２四角形の面積に比べて予め定められたしきい値の範囲より小さい例は図１Ｄに示した通りである。
【０１３６】
コンテンツ領域の拡大又は縮小比率は第３四角形の面積と第２四角形の面積の差に比例し得る。この時、比例は１次元の比例である場合もあり、或いは多次元の比例関係である場合もある。即ち、コンテンツ領域の拡大値又は縮小値は第３四角形の面積と第２四角形の面積の差を変数とする１次元方程式又は多次元方程式関係であり得る。
【０１３７】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【０１３８】
ここで、しきい値とは電子装置の機能設定に応じて予め決められた値であって、ユーザの設定に応じて変更できる。
【０１３９】
第２タッチは複数のタッチである場合があり、このような複数のタッチの中には電子装置のスクリーンに表示されたコンテンツ領域のうちの最初にタッチされる第１タッチを含む。このような関係は、図４Ａで説明した通りである。
【０１４０】
即ち、第２タッチに含まれる第１タッチによって形成される第１四角形の面積（ｓｉｚｅ）と第２タッチの第２四角形の面積を比較し、第２四角形の面積が予め定められた第１しきい値の範囲内か、それより大きいか又は小さいかに応じて、このような第１及び第２タッチはタッチスクリーンに表示されたコンテンツ領域のスクロール又は拡大／縮小のためのイベントであると見なすステップが、電子装置のタッチスクリーンに表示されたコンテンツ領域に対する少なくとも１つの第２タッチを感知し、感知されたタッチによって形成される第２四角形の面積を決定するステップＳ１５０１の前に追加的に行われ得る。
【０１４１】
電子装置のタッチスクリーンに表示されたコンテンツ領域は電子装置のタッチスクリーンに表示されたオブジェクトを示し得る。オブジェクトはグラフィックオブジェクトであり得る。
【０１４２】
コンテンツ領域の拡大又は縮小は、電子装置のタッチスクリーンに表示されたオブジェクトのパラメータを調節することである。
【０１４３】
コンテンツ領域のスクロールは、電子装置のタッチスクリーンに表示されたオブジェクトをスクロールすることを示し得る。
【０１４４】
電子装置のタッチスクリーンに表示されたオブジェクトのパラメータを調節することは、電子装置のタッチスクリーンに表示されたコンテンツの面積を大きくするか（ｍａｇｎｉｆｙｉｎｇ、ｚｏｏｍｉｎｇ−ｉｎ）又は小さくする（ｄｅ−ｍａｇｎｉｆｙｉｎｇ、ｚｏｏｍｉｎｇ−ｏｕｔ）ことを示し得、電子装置のタッチスクリーンに表示されたオブジェクトをスクロールすることは、電子装置のタッチスクリーンに表示されたコンテンツをスクロールアップするか又はスクロールダウンすることを示し得る。
【０１４５】
また、タッチスクリーンに表示されたコンテンツ領域を拡大する条件を異なるように設定することができる。即ち、四角形の面積が基準値を超えることを、表示されたコンテンツ領域を拡大する条件として与えることができる。例えば、四角形の面積の基準値を４ｃｍ２に設定した場合は、第２四角形の面積がこの基準値を超える時点から、表示されたコンテンツ領域の拡大が行われるようにすることができる（図４Ａで説明した第１四角形の面積は基準値と同じか又はそれより小さいことを前提とする）。コンテンツ領域の拡大比率は基準値を超える比率に連動させることができる。もし、第１四角形の面積が基準値以上の場合は、第２四角形の面積が第１四角形の面積より大きくなる時点から、表示されたコンテンツ領域の拡大が行われるようにすることができる。拡大比率は基準値を超える比率に連動させることができる。また、表示されたコンテンツ領域を縮小する条件として、四角形の面積が基準値未満になることを与えることができる（図４Ａで説明した第１四角形の面積は基準値と同じか又はそれより大きいことを前提とする）。
【０１４６】
また、上述したように、表示されたコンテンツ領域を拡大する２つの条件を共に使用することができる。即ち、四角形の面積が基準値を超えることと、第３四角形の面積が第２四角形の面積に比べて予め定められた第２しきい値（オフセットと表現する場合もある）の範囲より大きくなることとを、タッチスクリーンに表示されたコンテンツ領域を拡大する条件とすることができる。また、タッチスクリーンに表示されたコンテンツ領域を縮小する条件として、四角形の面積が基準値未満になることと、第３四角形の面積が第２四角形の面積に比べて予め定められた第２しきい値（オフセットと表現する場合もある）の範囲より小さくなることとを設定することができる。
【０１４７】
図１５（ｂ）は、本発明の一実施形態によるタッチ領域を調節する電子装置の各手段を示す図である。
【０１４８】
先ず、電子装置の第２四角形面積決定手段１５０４は、表示されたコンテンツ領域に対する少なくとも１つの第２タッチを感知し、感知されたタッチによって形成される第２四角形の面積を決定する。次に第３四角形面積決定手段１５０５は、感知されたタッチが移動した第３タッチによって形成される第３四角形の面積を決定する。第２四角形と第３四角形の面積を比較して、コンテンツ領域に対するタッチの機能を決定するディスプレイ制御手段１５０６は、このような方法の実行によって決定された機能に応じてコンテンツ領域を表示するよう制御する。
【０１４９】
上記各手段は、図１４のプロセッサユニット１４２０に含まれ得る。或いは図１４のプロセッサ１４２２に含まれ得る。
【０１５０】
第２四角形及び第３四角形は、第２及び第３タッチ地点のそれぞれの座標のｘ、ｙ値を基準に最小値と最大値によって決定した４つの頂点からなる。第３四角形の面積を第２四角形の面積と比較して第３四角形の面積が第２四角形の面積に比べて予め定められたしきい値の範囲より大きい場合、このような第２及び第３タッチは、面積の変化率に応じてタッチスクリーンに表示されたコンテンツ領域を拡大する。第３四角形の面積が第２四角形の面積に比べて予め定められたしきい値の範囲より大きい例は図１Ｃに示した通りである。また、第３四角形の面積が第２四角形の面積に比べて予め定められたしきい値の範囲より小さい場合、このような第２及び第３タッチの面積の変化率に応じてタッチスクリーンに表示されたコンテンツ領域を縮小する。第３四角形の面積が第２四角形の面積に比べて予め定められたしきい値の範囲より小さい例は図１Ｄに示した通りである。
【０１５１】
コンテンツ領域の拡大又は縮小比率は第３四角形の面積と第２四角形の面積の差に比例し得る。この時、比例は１次元の比例である場合もあり、或いは多次元の比例関係である場合もある。即ち、コンテンツ領域の拡大値又は縮小値は第３四角形の面積と第２四角形の面積の差を変数とする１次元方程式又は多次元方程式関係であり得る。
【０１５２】
また、第２四角形と第３四角形の面積の代わりに各四角形の座標点のＸ軸の差の自乗とＹ軸の差の自乗を足した値を基準とすることができる。即ち、（Ｘｍａｘ−Ｘｍｉｎ）２＋（Ｙｍａｘ−Ｙｍｉｎ）２を四角形の面積の代わりに比較基準とすることができる（Ｘｍａｘは四角形の各点の座標のうちのＸ軸の最大値、Ｘｍｉｎは四角形の各点の座標のうちのＸ軸の最小値、Ｙｍａｘは四角形の各点の座標のうちのＹ軸の最大値、Ｙｍｉｎは四角形の各点の座標のうちのＹ軸の最小値）。
【０１５３】
第２タッチは複数のタッチである場合があり、このような複数のタッチの中には電子装置のスクリーンに表示されたコンテンツ領域のうちの最初にタッチされる第１タッチを含む。このような関係は、図４Ａで説明した通りである。
【０１５４】
即ち、第２タッチに含まれる第１タッチによって形成される第１四角形の面積（大きさ、ｓｉｚｅ）と第２タッチの第２四角形の面積を比較し、第２四角形の面積が予め定められた第１しきい値の範囲内か、それより大きいか又は小さいかに応じて、このような第１及び第２タッチはタッチスクリーンに表示されたコンテンツ領域のスクロール又は拡大／縮小のためのイベントであると見なす過程を実行する手段（図示せず）を、電子装置のタッチスクリーンに表示されたコンテンツ領域に対する少なくとも１つの第２タッチを感知し、感知されたタッチによって形成される第２四角形の面積を決定する第２四角形面積決定手段の前に追加的に有し得る。
【０１５５】
電子装置のタッチスクリーンに表示されたコンテンツ領域は電子装置のタッチスクリーンに表示されたオブジェクトを示し得る。オブジェクトはグラフィックオブジェクトであり得る。
【０１５６】
コンテンツ領域の拡大又は縮小は、電子装置のタッチスクリーンに表示されたオブジェクトのパラメータを調節することである。
【０１５７】
コンテンツ領域のスクロールは、電子装置のタッチスクリーンに表示されたオブジェクトをスクロールすることを示し得る。
【０１５８】
電子装置のタッチスクリーンに表示されたオブジェクトのパラメータを調節することは、電子装置のタッチスクリーンに表示されたコンテンツの面積を大きくするか（ｍａｇｎｉｆｙｉｎｇ、ｚｏｏｍｉｎｇ−ｉｎ）又は小さくする（ｄｅ−ｍａｇｎｉｆｙｉｎｇ、ｚｏｏｍｉｎｇ−ｏｕｔ）ことを示し得、電子装置のタッチスクリーンに表示されたオブジェクトをスクロールすることは、電子装置のタッチスクリーンに表示されたコンテンツをスクロールアップするか又はスクロールダウンすることを示し得る。
【０１５９】
また、タッチスクリーンに表示されたコンテンツ領域を拡大する条件を異なるように設定することができる。即ち、四角形の面積が基準値を超えることを、表示されたコンテンツ領域を拡大する条件として与えることができる。例えば、四角形の面積の基準値を４ｃｍ２に設定した場合は、第２四角形の面積がこの基準値を超える時点から、表示されたコンテンツ領域の拡大が行われるようにすることができる（図４Ａで説明した第１四角形の面積は基準値と同じか又はそれより小さいことを前提とする）。コンテンツ領域の拡大比率は基準値を超える比率に連動させることができる。もし、第１四角形の面積が基準値以上の場合は、第２四角形の面積が第１四角形の面積より大きくなる時点から、表示されたコンテンツ領域の拡大が行われるようにすることができる。拡大比率は基準値を超える比率に連動させることができる。また、表示されたコンテンツ領域を縮小する条件として、四角形の面積が基準値未満になることを与えることができる（図４Ａで説明した第１四角形の面積は基準値と同じか又はそれより大きいことを前提とする）。
【０１６０】
また、上述したように、表示されたコンテンツ領域を拡大する２つの条件を共に使用することができる。即ち、四角形の面積が基準値を超えることと、第３四角形の面積が第２四角形の面積に比べて予め定められた第２しきい値（オフセットと表現する場合もある）の範囲より大きくなることとを、タッチスクリーンに表示されたコンテンツ領域を拡大する条件とすることができる。また、タッチスクリーンに表示されたコンテンツ領域を縮小する条件として、四角形の面積が基準値未満になることと、第３四角形の面積が第２四角形の面積に比べて予め定められた第２しきい値（オフセットと表現する場合もある）の範囲より小さくなることとを設定することができる。
【０１６１】
本実施形態による電子装置の動作方法は、表示されたコンテンツ領域に対する少なくとも１つの第２タッチを感知し、感知されたタッチによって形成される第２四角形の面積を決定し、感知されたタッチが移動した第３タッチによって形成される第３四角形の面積を決定し、第２四角形と第３四角形の面積を比較することで、コンテンツ領域に対するタッチの機能を決定できる。
【０１６２】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１６３】
１０１、１０３、１０５、１０７、２０３、３０３、１１０４、１２０３    第２四角形（ボックス）領域
１０２、１０４、１０６、１０８、２０７、３０４、１１０５、１２０７    第３四角形（ボックス）
２０１、２０２、３０１、３０２    タッチ入力
４０１、４０２    四角形領域
４０３    第１四角形領域
４０４    第２四角形
４０６    他の四角形
５０１    ピクセル交点
５０２、５０３、５０４、６０３、６０４、６０５、７０５、８０５、９０１、９０２、１００３、１００４    領域
６０１、７０１、７０３、８０１、８０３、１００１    第１ピクセル交点
６０２、７０２、７０４、８０２、８０４、１００２    第２ピクセル交点
１１０１、１１０２、１１０３、１２０１、１２０２    タッチ入力
１４００    電子装置
１４１０    メモリ
１４１１    オペレーションシステムモジュール
１４１２    通信モジュール
１４１３    グラフィックモジュール
１４１４    ユーザインタフェースモジュール
１４１５    ＣＯＤＥＣモジュール
１４１６    カメラモジュール
１４１７    アプリケーションモジュール
１４２０    プロセッサユニット
１４２１    メモリインタフェース
１４２２    プロセッサ
１４２３    周辺装置インタフェース
１４３０    第１無線通信サブシステム
１４３１    第２無線通信サブシステム
１４５０    オーディオサブシステム
１４５１    スピーカ
１４５２    マイクロホン
１４６０    外部ポート
１４７０    入出力システム
１４７１    タッチスクリーン制御器
１４７２    その他の入力制御器
１４８０    タッチスクリーン
１４９０    その他の入力／制御装置
１４９１    モーションセンサ
１４９２    光センサ
１４９３    カメラサブシステム
【図１Ａ】
2014044711.tif 000003
【図１Ｂ】
2014044711.tif 000004
【図１Ｃ】
2014044711.tif 000005
【図１Ｄ】
2014044711.tif 000006
【図２】
2014044711.tif 000007
【図３】
2014044711.tif 000008
【図４Ａ】
2014044711.tif 000009
【図４Ｂ】
2014044711.tif 000010
【図５】
2014044711.tif 000011
【図６】
2014044711.tif 000012
【図７】
2014044711.tif 000013
【図８】
2014044711.tif 000014
【図９】
2014044711.tif 000015
【図１０】
2014044711.tif 000016
【図１１】
2014044711.tif 000017
【図１２】
2014044711.tif 000018
【図１３】
2014044711.tif 000019
【図１４】
2014044711.tif 000020
【図１５】
2014044711.tif 000021